(57)【要約】【課題】機能性を向上する。【解決手段】画像形成システム１は、管理者により操作される管理者モバイル端末２０と、管理者モバイル端末２０とデータ通信を行う社内サーバ４０とを設け、管理者モバイル端末２０は、クライアントＰＣ５０にインストールされる、画像形成装置１０に関するソフトウェアをＷｅｂサーバ６０から受信するソフトウェア受信機能と、ソフトウェアを社内サーバ４０へ送信するソフトウェア送信機能とを具えるソフトウェアダウンロードアプリケーション２５又は７５を有し、社内サーバ４０は、ソフトウェアを管理者モバイル端末２０から受信し、ソフトウェアの種類毎に設定された、ソフトウェアをクライアントＰＣ５０にインストールする権限についての許可ランクを、ソフトウェアと対応付けて記憶するソフトウェアモジュール記憶部４５を有する。【選択図】図１４
2018181109.tif 000002
【特許請求の範囲】
【請求項１】
管理者により操作される管理者端末と、前記管理者端末とデータ通信を行う内部サーバとを有し、
前記管理者端末は、
クライアント端末にインストールされる、画像形成装置に関するソフトウェアを外部サーバから受信するソフトウェア受信部と、
前記ソフトウェアを前記内部サーバへ送信するソフトウェア送信部と
を具え、
前記内部サーバは、
前記ソフトウェアを前記管理者端末から受信し、前記ソフトウェアの種類毎に設定された、前記ソフトウェアを前記クライアント端末にインストールする権限についての許可ランクを、前記ソフトウェアと対応付けて記憶するソフトウェア記憶部と
を具える
画像形成システム。
【請求項２】
前記ソフトウェア送信部は、前記管理者端末への前記管理者の操作に基づき設定された前記許可ランクを、前記内部サーバへ送信する
請求項１に記載の画像形成システム。
【請求項３】
前記ソフトウェア記憶部は、前記許可ランク毎に、前記クライアント端末にインストール可能な前記ソフトウェアをまとめて記憶する
請求項１に記載の画像形成システム。
【請求項４】
前記内部サーバは、前記許可ランク毎にまとめて記憶された前記ソフトウェアの記憶先のアドレスを作成するアドレス作成部
をさらに有する請求項３に記載の画像形成システム。
【請求項５】
前記内部サーバは、前記ソフトウェアを前記クライアント端末にダウンロードさせる際に前記クライアント端末において閲覧可能なダウンロードページを作成するページ作成部
をさらに有する請求項４に記載の画像形成システム。
【請求項６】
前記管理者端末は、
前記画像形成装置の装置識別情報を前記画像形成装置から受信する装置識別情報受信部と、
前記装置識別情報を前記外部サーバへ送信する装置識別情報送信部と
をさらに有し、
前記ソフトウェア受信部は、前記装置識別情報に応じた前記ソフトウェアを前記外部サーバから受信する
請求項１に記載の画像形成システム。
【請求項７】
前記管理者端末は、前記管理者に持ち運ばれる管理者モバイル端末であり、
前記画像形成装置は、
前記管理者モバイル端末が近接されると前記画像形成装置の前記装置識別情報を前記管理者モバイル端末へ送信する画像形成装置制御部を有し、
前記管理者モバイル端末は、
前記装置識別情報を前記画像形成装置から受信すると、該装置識別情報を前記外部サーバへ送信する装置識別情報送信部と、
前記許可ランクを、前記管理者に設定させる許可ランク設定部と
をさらに有し、
前記外部サーバは、
前記管理者モバイル端末から受信した前記装置識別情報に適した前記ソフトウェアを記憶部から抽出し前記管理者モバイル端末へ送信する外部サーバ制御部を有する
請求項６に記載の画像形成システム。
【請求項８】
前記画像形成装置は、
前記ソフトウェアが前記内部サーバの前記ソフトウェア記憶部に記憶された後に、ユーザに持ち運ばれるユーザモバイル端末が近接されると、前記画像形成装置の前記装置識別情報を前記画像形成装置制御部が前記ユーザモバイル端末へ送信し、
前記ユーザモバイル端末は、
前記装置識別情報を前記画像形成装置から受信すると、前記ユーザのユーザ名を前記内部サーバへ送信する装置識別情報ユーザ名送信部を有し、
前記内部サーバは、
前記ユーザ名と、前記許可ランクと、前記許可ランク毎にまとめて記憶された前記ソフトウェアの記憶先のアドレスとに基づき、前記ソフトウェアを前記クライアント端末にダウンロードさせる際に前記クライアント端末において閲覧可能なダウンロードページを作成するページ作成部と、
前記ダウンロードページのアドレスを示すページ情報を前記ユーザモバイル端末へ送信するページ情報送信部と
をさらに有し、
前記クライアント端末は、
前記ユーザモバイル端末が近接されると前記ユーザモバイル端末から前記ページ情報を受信し、該ページ情報により示される格納先から前記ソフトウェアを受信するアプリケーション実行部を有する
請求項７に記載の画像形成システム。
【請求項９】
前記画像形成装置は、
前記画像形成装置の前記装置識別情報を前記管理者端末へ送信する画像形成装置制御部を有し、
前記管理者端末は、
前記装置識別情報を前記画像形成装置から受信すると、該装置識別情報を前記外部サーバへ送信する装置識別情報送信部と、
前記許可ランクを、前記管理者に設定させる許可ランク設定部と
をさらに有し、
前記外部サーバは、
前記管理者端末から受信した前記装置識別情報に適した前記ソフトウェアを記憶部から抽出し前記管理者端末へ送信する外部サーバ制御部を有する
請求項６に記載の画像形成システム。
【請求項１０】
前記画像形成装置は、
前記ソフトウェアが前記内部サーバの前記ソフトウェア記憶部に記憶された後に、前記画像形成装置の前記装置識別情報を前記画像形成装置制御部が前記クライアント端末へ送信し、
前記クライアント端末は、
前記装置識別情報を前記画像形成装置から受信すると、前記クライアント端末を使用するユーザのユーザ名とを前記内部サーバへ送信するクライアント端末制御部と、
前記内部サーバから前記ソフトウェアを前記クライアント端末がダウンロードする際に前記クライアント端末において閲覧可能なダウンロードページのアドレスを示すページ情報を前記内部サーバから受信し、該ページ情報により示される格納先から前記ソフトウェアを受信するアプリケーション実行部と
をさらに有し、
前記内部サーバは、
前記ユーザ名と、前記許可ランクと、前記許可ランク毎にまとめて記憶された前記ソフトウェアの記憶先のアドレスとに基づき、前記ダウンロードページを作成するページ作成部と、
前記ページ情報を前記クライアント端末へ送信するページ情報送信部と
をさらに有する
請求項９に記載の画像形成システム。
【請求項１１】
前記クライアント端末は前記外部サーバから前記ソフトウェアを直接受信しない状態である
請求項１に記載の画像形成システム。
【請求項１２】
前記外部サーバは、Ｗｅｂサーバであり、
前記内部サーバは、社内サーバである
請求項１に記載の画像形成システム。
【請求項１３】
クライアント端末にインストールされる、画像形成装置に関するソフトウェアを管理者により操作される管理者端末が外部サーバから受信するソフトウェア受信ステップと、
前記ソフトウェアを前記管理者端末が内部サーバへ送信するソフトウェア送信ステップと、
前記ソフトウェアを前記内部サーバが前記管理者端末から受信し、前記ソフトウェアの種類毎に設定された、前記ソフトウェアを前記クライアント端末にインストールする権限についての許可ランクを、前記ソフトウェアと対応付けて記憶するソフトウェア記憶ステップと
を有する画像形成方法。
【発明の詳細な説明】
【技術分野】
【０００１】
本発明は画像形成システム及び画像形成方法に関し、例えば画像形成装置に関するソフトウェアをクライアントＰＣにインストールする画像形成システムに適用して好適なものである。
【背景技術】
【０００２】
従来、携帯電話に画像形成装置のドライバをインストールする際に、センターサーバに記憶されているドライバと携帯電話に記憶されているドライバとを比較し、携帯電話に記憶されているドライバが適切でなかった場合、センターサーバに記憶されているドライバを携帯電話にインストールする情報処理システムが提案されている（例えば、特許文献１参照）。
【先行技術文献】
【特許文献】
【０００３】
【特許文献１】特開２００３−３０３０７１号公報
【発明の概要】
【発明が解決しようとする課題】
【０００４】
しかしながら従来の情報処理システムにおいては、携帯電話にサーバからソフトウェアをインストールする際に、インストールしようとしている使用者の権限によるソフトウェアのインストールの可否を、この使用者の意識無く行うことができなかった。
【０００５】
本発明は以上の点を考慮してなされたもので、機能性を向上し得る画像形成システム及び画像形成方法を提案しようとするものである。
【課題を解決するための手段】
【０００６】
かかる課題を解決するため本発明の画像形成システムにおいては、管理者により操作される管理者端末と、管理者端末とデータ通信を行う内部サーバとを設け、管理者端末は、クライアント端末にインストールされる、画像形成装置に関するソフトウェアを外部サーバから受信するソフトウェア受信部と、ソフトウェアを内部サーバへ送信するソフトウェア送信部とを有し、内部サーバは、ソフトウェアを管理者端末から受信し、ソフトウェアの種類毎に設定された、ソフトウェアをクライアント端末にインストールする権限についての許可ランクを、ソフトウェアと対応付けて記憶するソフトウェア記憶部とを有する画像形成システム。
【０００７】
また本発明の画像形成方法は、クライアント端末にインストールされる、画像形成装置に関するソフトウェアを管理者により操作される管理者端末が外部サーバから受信するソフトウェア受信ステップと、ソフトウェアを管理者端末が内部サーバへ送信するソフトウェア送信ステップと、ソフトウェアを内部サーバが管理者端末から受信し、ソフトウェアの種類毎に設定された、ソフトウェアをクライアント端末にインストールする権限についての許可ランクを、ソフトウェアと対応付けて記憶するソフトウェア記憶ステップとを設けるようにした。
【０００８】
これにより本発明は、ソフトウェアに対応付けられた使用者の許可ランクに応じたソフトウェアを、使用者に自身の許可ランクを意識させることなく内部サーバからクライアント端末にダウンロードさせることができる。
【発明の効果】
【０００９】
本発明によれば、ソフトウェアに対応付けられた使用者の許可ランクに応じたソフトウェアを、使用者に自身の許可ランクを意識させることなく内部サーバからクライアント端末にダウンロードさせることができる。かくして本発明は、機能性を向上し得る画像形成システム及び画像形成方法を実現できる。
【図面の簡単な説明】
【００１０】
【図１】第１の実施の形態による画像形成システムの全体構成を示すブロック図である。
【図２】画像形成装置の構成を示すブロック図である。
【図３】管理者モバイル端末の構成を示すブロック図である。
【図４】ユーザモバイル端末の構成を示すブロック図である。
【図５】第１の実施の形態によるクライアントＰＣの構成を示すブロック図である。
【図６】社内サーバの構成を示すブロック図である。
【図７】Ｗｅｂサーバの構成を示すブロック図である。
【図８】許可ランク選択画面を示す図である。
【図９】使用者ランクテーブルを示す図である。
【図１０】社内サーバのディレクトリを示す図である。
【図１１】保存先テーブルを示す図である。
【図１２】メタファイルを示す図である。
【図１３】ソフトウェアインストール画面を示す図である。
【図１４】第１の実施の形態による社内サーバ登録処理手順を示すシーケンスチャートである。
【図１５】第１の実施の形態によるクライアントＰＣインストール処理手順を示すシーケンスチャートである。
【図１６】第２の実施の形態による画像形成システムの全体構成を示すブロック図である。
【図１７】管理者ＰＣの構成を示すブロック図である。
【図１８】第２の実施の形態によるクライアントＰＣの構成を示すブロック図である。
【図１９】第２の実施の形態による社内サーバ登録処理手順を示すシーケンスチャートである。
【図２０】第２の実施の形態によるクライアントＰＣインストール処理手順を示すシーケンスチャートである。
【発明を実施するための形態】
【００１１】
以下、発明を実施するための形態（以下実施の形態とする）について、図面を用いて説明する。
【００１２】
［１．第１の実施の形態］
［１−１．画像形成システムの全体構成］
図１に示すように、画像形成システム１は、画像形成装置１０、管理者モバイル端末２０、ユーザモバイル端末３０、クライアントＰＣ５０、社内サーバ４０及びＷｅｂサーバ６０により構成されている。
【００１３】
画像形成装置１０は、企業等の会社内である社内２に設けられており、クライアントＰＣ５０から印刷データを受信し、該印刷データに基づき印刷を行うと共に、ＮＦＣ（Near Field Communication）等の近距離無線通信を介して管理者モバイル端末２０及びユーザモバイル端末３０と無線通信を行う。
【００１４】
管理者モバイル端末２０は、所謂スマートフォンやＰＤＡ（Personal Digital Assistant）等の使用者による持ち運びが容易な可搬型のモバイル端末により構成されており、それぞれＷｉ−Ｆｉ等の無線ＬＡＮ（Local Area Network）の社内無線ＬＡＮ回線を介して社内サーバ４０と、Ｗｉ−ＦｉやＬＴＥ（Long Term Evolution）等の公衆無線回線を介してＷｅｂサーバ６０と、ＮＦＣ等の近距離無線通信を介して画像形成装置１０と無線通信を行う。この管理者モバイル端末２０は、社内２においてクライアントＰＣ５０毎の使用者に対し自身のクライアントＰＣ５０に画像形成装置１０に関するソフトウェアをインストールさせる際に該ソフトウェアをＷｅｂサーバ６０からダウンロードして社内サーバ４０に格納する権限を有する管理者により操作され、画像形成装置１０に関しクライアントＰＣ５０にインストールされるソフトウェアをＷｅｂサーバ６０からダウンロードし、社内サーバ４０へ格納する。
【００１５】
ユーザモバイル端末３０は、管理者モバイル端末２０と同様に所謂スマートフォンやＰＤＡ等の使用者による持ち運びが容易な可搬型のモバイル端末により構成されており、それぞれＷｉ−Ｆｉ等の無線ＬＡＮの社内無線ＬＡＮ回線を介して社内サーバ４０と、ＮＦＣ等の近距離無線通信を介して画像形成装置１０と無線通信を行う。このユーザモバイル端末３０は、社内２において画像形成装置１０に関するソフトウェアをＷｅｂサーバ６０からダウンロードして社内サーバ４０に格納する権限を有さないユーザにより操作され、社内サーバ４０へ格納された画像形成装置１０に関するソフトウェアをクライアントＰＣ５０にインストールする。
【００１６】
以下では管理者モバイル端末２０及びユーザモバイル端末３０をまとめてモバイル端末とも呼び、管理者及びユーザをまとめて使用者とも呼ぶ。ユーザは、例えばチームリーダー（以下ではＴＬとも呼ぶ）と一般ユーザとにより構成される。
【００１７】
クライアントＰＣ５０は、社内２に設けられており、ＰＣ（Personal Computer）により構成され、画像形成装置１０に関するソフトウェアがインストールされる。またクライアントＰＣ５０は、それぞれ社内無線ＬＡＮや社内有線ＬＡＮ等の社内ＬＡＮ回線を介して社内サーバ４０と、ＮＦＣ等の近距離無線通信を介して管理者モバイル端末２０及びユーザモバイル端末３０と無線通信を行う。またこのクライアントＰＣ５０は、社外４には接続されていない。
【００１８】
社内サーバ４０は、企業等の会社外である社外４に設けられており、社内２の画像形成装置１０に関する情報等の管理や、社内２で使用されるソフトウェアの管理や、Ｗｅｂページの作成等を行う。また社内サーバ４０は、それぞれＷｉ−Ｆｉ等の無線ＬＡＮの社内無線ＬＡＮ回線を介して管理者モバイル端末２０及びユーザモバイル端末３０と、社内無線ＬＡＮや社内有線ＬＡＮ等の社内ＬＡＮ回線を介してクライアントＰＣ５０と通信を行う。
【００１９】
Ｗｅｂサーバ６０は、社外４に設けられており、画像形成装置１０の製造元のソフトウェアが格納されていると共に、画像形成装置１０のデバイスＩＤに適したソフトウェアを抽出する。またＷｅｂサーバ６０は、Ｗｉ−ＦｉやＬＴＥ等の公衆無線回線を介して管理者モバイル端末２０と無線通信を行う。
【００２０】
［１−２．画像形成装置の構成］
図２に示すように画像形成装置１０は、画像形成装置制御部１３が各部（ＮＦＣ  Ｉ／Ｆ部１１、モバイル端末検知部１２、装置識別情報管理部１４、操作パネル１５及び印刷部１６）の中間に位置し、データの入出力をする場合に仲立ちする機能を有し、画像形成装置１０全体を統轄制御する。画像形成装置制御部１３は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して種々の処理を行う。
【００２１】
ＮＦＣ  Ｉ／Ｆ部１１は、ＮＦＣ方式の近距離無線通信を実行するインターフェイスであり、管理者モバイル端末２０及びユーザモバイル端末３０と無線通信を行う。モバイル端末検知部１２は、管理者モバイル端末２０又はユーザモバイル端末３０が画像形成装置１０の端末検知エリアにかざされたことをＮＦＣ  Ｉ／Ｆ部１１を介して検知する。装置識別情報管理部１４は、例えば画像形成装置１０の機種名やシリアルナンバー等からなる、画像形成装置１０を識別する装置識別情報であるデバイスＩＤを格納している。操作パネル１５は、タッチパネルにより構成されており、必要な情報を表示する表示部と使用者が必要な情報を入力する入力部とが一体化している。印刷部１６は、印刷データを受信した場合に印刷データを印刷する。
【００２２】
［１−３．管理者モバイル端末の構成］
図３に示すように管理者モバイル端末２０は、モバイル端末制御部２３が各部（ＮＦＣ  Ｉ／Ｆ部２１、無線ＬＡＮ  Ｉ／Ｆ部２２、アプリケーション制御部２４、ソフトウェアダウンロードアプリケーション２５、ソフトウェアモジュール記憶部２６、使用者情報記憶部２７及びタッチパネル部２８）の中間に位置し、データの入出力をする場合に仲立ちする機能を有し、管理者モバイル端末２０全体を統轄制御する。モバイル端末制御部２３は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して種々の処理を行う。
【００２３】
ＮＦＣ  Ｉ／Ｆ部２１は、ＮＦＣ方式の近距離無線通信を実行するインターフェイスであり、画像形成装置１０と無線通信を行う。無線ＬＡＮ  Ｉ／Ｆ部２２は、Ｗｉ−Ｆｉ方式の無線通信を実行するインターフェイスであり、社内サーバ４０及びＷｅｂサーバ６０と無線通信を行う。
【００２４】
アプリケーション制御部２４は、ソフトウェアダウンロードアプリケーション２５とソフトウェアモジュール記憶部２６との中間に位置し、データの入出力をする場合に仲立ちする機能を有し、管理者モバイル端末２０内のアプリケーション全体を制御する。
【００２５】
ソフトウェアダウンロードアプリケーション２５は、管理者モバイル端末２０上で起動するアプリケーションであり、画像形成装置１０からデバイスＩＤを取得する装置識別情報受信部としてのデバイスＩＤ管理者受信機能と、使用者情報記憶部２７から後述する使用者情報を読み出して社内サーバ４０へ送信する使用者情報送信機能と、画像形成装置１０から取得したデバイスＩＤを社内サーバ４０へ送信する装置識別情報送信部としてのデバイスＩＤ送信機能と、Ｗｅｂサーバ６０から管理者モバイル端末２０にソフトウェアをダウンロードするソフトウェア受信機能と、Ｗｅｂサーバ６０から管理者モバイル端末２０にダウンロードされたソフトウェアの種類を表示するダウンロード済ソフトウェア提示機能と、図８に示す後述する許可ランク選択画面ＤＩＰ１をタッチパネル部２８に表示させることにより、クライアントＰＣ５０への画像形成装置１０のソフトウェアのインストールを許可する使用者ランクを示す許可ランクをソフトウェア毎に管理者に選択させる許可ランク設定機能と、Ｗｅｂサーバ６０から管理者モバイル端末２０にダウンロードされたソフトウェアと管理者に選択された許可ランクとを社内サーバ４０へ送信するソフトウェア許可ランク送信機能とを有している。
【００２６】
またソフトウェアダウンロードアプリケーション２５は、使用者情報記憶部２７から社内２の各使用者の使用者名及び使用者ランクを取得し、社内サーバ４０へ送信することにより、社内サーバ４０における図９に示す後述する使用者ランクテーブルＴＢｕに格納する。ソフトウェアモジュール記憶部２６は、Ｗｅｂサーバ６０からダウンロードされたソフトウェアを格納する。タッチパネル部２８は、必要な情報を表示する表示部と使用者が必要な情報を入力する入力部とが一体化している。
【００２７】
使用者情報記憶部２７は、社内２の使用者の情報である使用者情報を保持している。この使用者情報は、使用者の名前である使用者名と、その使用者のランクである使用者ランクとを、使用者毎に関連付けて記憶している。具体的に使用者情報は、例えば、使用者名である「ｔａｎａｋａ」と、使用者ランクである「使用者ランクＡ」とを関連付けて記憶している。画像形成システム１においては、使用者ランクとして、例えば使用者ランクＡ、使用者ランクＢ及び使用者ランクＣの３種類が存在している。また画像形成システム１においては、クライアントＰＣ５０に対する画像形成装置１０のソフトウェアのインストールに関する権限に関し、「管理者」の権限を有する使用者、すなわち管理者は使用者ランクＡが、「ＴＬ」の権限を有する使用者、すなわちＴＬは使用者ランクＢが、「一般ユーザ」の権限を有する使用者、すなわち一般ユーザは使用者ランクＣが、それぞれ割り当てられている。ここで、使用者ランクＢは使用者ランクＣの権限を全て包含し、使用者ランクＡは使用者ランクＢ及び使用者ランクＣの権限を全て包含している。
【００２８】
［１−４．ユーザモバイル端末の構成］
図４に示すようにユーザモバイル端末３０は、モバイル端末制御部３３が各部（ＮＦＣ  Ｉ／Ｆ部３１、無線ＬＡＮ  Ｉ／Ｆ部３２、アプリケーション制御部３４、アプリケーション３５、使用者情報記憶部３６及びタッチパネル部３７）の中間に位置し、データの入出力をする場合に仲立ちする機能を有し、ユーザモバイル端末３０を統轄制御する。モバイル端末制御部３３は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して種々の処理を行う。
【００２９】
ＮＦＣ  Ｉ／Ｆ部３１は、ＮＦＣ方式の近距離無線通信を実行するインターフェイスであり、画像形成装置１０と無線通信を行う。無線ＬＡＮ  Ｉ／Ｆ部３２は、Ｗｉ−Ｆｉ方式の無線通信を実行するインターフェイスであり、社内サーバ４０と無線通信を行う。タッチパネル部３７は、必要な情報を表示する表示部とユーザが必要な情報を入力する入力部とが一体化している。
【００３０】
アプリケーション制御部３４は、ユーザモバイル端末３０内のアプリケーション３５を制御し、例えば、ユーザがタッチパネル部３７からアプリケーション３５の起動を指示した場合にアプリケーション３５を起動することや、社内サーバ４０から後述するページ情報を受信した場合に、クライアントＰＣ５０にユーザモバイル端末３０をかざすように指示する機能を有する。
【００３１】
アプリケーション３５は、ユーザモバイル端末３０上で起動するアプリケーションであり、画像形成装置１０からデバイスＩＤを取得するデバイスＩＤユーザ受信機能と、使用者情報記憶部３６から使用者名を読み出し、画像形成装置１０から取得したデバイスＩＤと共に社内サーバ４０へ送信する装置識別情報ユーザ名送信部としてのデバイスＩＤユーザ名送信機能と、社内サーバ４０から受信したページ情報をクライアントＰＣ５０へ送信するページ情報送信機能とを有している。
【００３２】
使用者情報記憶部３６は、該使用者情報記憶部３６を有するそのユーザモバイル端末３０を使用する使用者の使用者名と、該使用者の使用者ランクとを対応付けて保持している。すなわち使用者情報記憶部３６は、このユーザモバイル端末３０を使用する使用者が「管理者」である場合は「使用者ランクＡ」を、「ＴＬ」である場合は「使用者ランクＢ」を、「一般ユーザ」である場合は「使用者ランクＣ」を、使用者の使用者名と対応付けて保持している。
【００３３】
［１−５．クライアントＰＣの構成］
図５に示すようにクライアントＰＣ５０は、クライアント端末制御部としてのクライアントＰＣ制御部５３が各部（ＮＦＣ  Ｉ／Ｆ部５１、モバイル端末検知部５２、ブラウザ起動アプリケーション実行部５４、プログラム格納部５５及びＬＡＮ  Ｉ／Ｆ部５６）の中間に位置し、データの入出力をする場合に仲立ちする機能を有し、クライアントＰＣ５０を統轄制御する。クライアントＰＣ制御部５３は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して種々の処理を行う。
【００３４】
ＮＦＣ  Ｉ／Ｆ部５１は、ＮＦＣ方式の近距離無線通信を実行するインターフェイスでありユーザモバイル端末３０と無線通信を行う。モバイル端末検知部５２は、ユーザモバイル端末３０がクライアントＰＣ５０の端末検知エリアにかざされたことをＮＦＣ  Ｉ／Ｆ部５１を介して検知する。ＬＡＮ  Ｉ／Ｆ部５６は、社内ＬＡＮ回線と接続されたインターフェイスであり、社内サーバ４０と通信を行う。
【００３５】
アプリケーション実行部としてのブラウザ起動アプリケーション実行部５４は、社内サーバ４０からページ情報を受信した場合に、クライアントＰＣ５０のブラウザを起動し、図１３に示す後述するソフトウェアインストール画面ＤＩＰ２を表示する。プログラム格納部５５は、ソフトウェアをインストールした場合にプログラムを格納する。
【００３６】
［１−６．社内サーバの構成］
図６に示すように社内サーバ４０は、内部サーバ制御部としての社内サーバ制御部４２が各部（ＬＡＮ  Ｉ／Ｆ部４１、Ｗｅｂページ作成部４３、ＵＲＬ情報作成部４４、ソフトウェアモジュール記憶部４５、使用者ランクテーブル記憶部４６及びメタファイル記憶部４８）の中間に位置し、データの入出力をする場合に仲立ちする機能を有し、社内サーバ４０を統轄制御する。社内サーバ制御部４２は、社内サーバ４０を制御し、Ｗｅｂページを作成し、作成したページ情報をクライアントＰＣ５０へ送信する。
【００３７】
ＬＡＮ  Ｉ／Ｆ部４１は、社内ＬＡＮ回線及び社内無線ＬＡＮ回線と接続されたインターフェイスであり、管理者モバイル端末２０及びユーザモバイル端末３０とクライアントＰＣ５０と通信を行う。Ｗｅｂページ作成部４３は、デバイスＩＤと使用者ランクテーブルＴＢｕとに基づき、社内２の使用者用にウェブブラウザで閲覧可能なページ単位の文書であるＷｅｂページを作成する。アドレス作成部としてのＵＲＬ情報作成部４４は、ＷｅｂページのＵＲＬ（Uniform Resource Locator）を定義する。メタファイル記憶部４８は、図１２に示す後述するメタファイルＭＴを記憶する。
【００３８】
ソフトウェアモジュール記憶部４５は、クライアントＰＣ５０にインストールされる画像形成装置１０用のソフトウェアを格納する。社内サーバ制御部４２は、管理者モバイル端末２０がＷｅｂサーバ６０からダウンロードし社内サーバ４０へ送信した、画像形成装置１０に適したソフトウェアをソフトウェアモジュール記憶部４５に格納する。ソフトウェアモジュール記憶部４５は、図１０に示すようなディレクトリ構成にソフトウェアを保存する。すなわちソフトウェアモジュール記憶部４５は、許可ランク毎にソフトウェアを格納し、許可ランクが使用者ランクＡであるソフトウェアを、「http://サーバ名/Admin/機種名/rankA」のアドレスにより示される保存先に、許可ランクが使用者ランクＢであるソフトウェアを、「http://サーバ名/Admin/機種名/rankB」のアドレスにより示される保存先に、許可ランクが使用者ランクＣであるソフトウェアを、「http://サーバ名/Admin/機種名/rankC」のアドレスにより示される保存先に、それぞれ保存する。
【００３９】
使用者ランクテーブル記憶部４６は使用者ランクテーブルＴＢｕを記憶する。図９に示すように使用者ランクテーブルＴＢｕは、使用者名を示す使用者名列ＹＭと、使用者ランクを示す使用者ランク列ＲＫと、画像形成装置１０のソフトウェアをクライアントＰＣ５０にインストールする際の権限を示す権限列ＡＴとを有しており、使用者名毎に、使用者ランク及び権限を対応付けて記憶している。具体的に、使用者名が「ｔａｎａｋａ」の使用者は使用者ランクＡを有し、使用者名が「ｓａｔｏ」である使用者は使用者ランクＢを有し、使用者名が「ｏｋａｄａ」である使用者は使用者ランクＣを有している。権限は、使用者ランク毎に割り当てられており、「管理者」の権限を有する使用者は使用者ランクＡを有しており、「ＴＬ以上」の権限を有する使用者は使用者ランクＢを有しており、「全員」の権限を有する使用者は使用者ランクＣを有している。この使用者ランクテーブルＴＢｕは、社内サーバ４０が管理者モバイル端末２０から受信した使用者情報に基づき社内サーバ制御部４２が作成し、後述するＷｅｂページを使用者ランク別に作成する際に用いる。
【００４０】
［１−７．Ｗｅｂサーバの構成］
図７に示すようにＷｅｂサーバ６０は、外部サーバ制御部としてのＷｅｂサーバ制御部６３が各部（無線ＬＡＮ  Ｉ／Ｆ部６２、ソフトウェア抽出部６４及びソフトウェアモジュール記憶部６６）の中間に位置し、データの入出力をする場合に仲立ちする機能を有し、Ｗｅｂサーバ６０を統轄制御する。Ｗｅｂサーバ制御部６３は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して種々の処理を行う。
【００４１】
無線ＬＡＮ  Ｉ／Ｆ部６２は、Ｗｉ−Ｆｉ方式の無線通信を実行するインターフェイスであり、管理者モバイル端末２０と無線通信を行う。ソフトウェアモジュール記憶部６６は、管理者モバイル端末２０にダウンロードさせるソフトウェアを記憶している。ソフトウェア抽出部６４は、管理者モバイル端末２０から受信したデバイスＩＤに適したソフトウェアをソフトウェアモジュール記憶部６６から抽出する。
【００４２】
［１−８．社内サーバ登録処理手順］
画像形成システム１による社内サーバ登録処理手順ＲＴ１について、図１４のシーケンスチャートを用いて説明する。この社内サーバ登録処理手順ＲＴ１は、例えば画像形成装置１０が社内２に設置された後に、後述するクライアントＰＣインストール処理手順ＲＴ２に先立ち管理者の操作に基づき実行され、社内サーバ４０へ画像形成装置１０に関連するソフトウェアを登録する処理である。ステップＳＰ１において管理者モバイル端末２０のモバイル端末制御部２３は、タッチパネル部２８に対する管理者の操作に基づき、ソフトウェアダウンロードアプリケーション２５を起動する。ソフトウェアダウンロードアプリケーション２５は、管理者モバイル端末２０を画像形成装置１０にかざすよう管理者に促す画面をタッチパネル部２８に表示する。管理者は、把持した管理者モバイル端末２０を画像形成装置１０のＮＦＣ  Ｉ／Ｆ部１１にかざす。
【００４３】
ステップＳＰ２において画像形成装置１０の画像形成装置制御部１３は、管理者モバイル端末２０がＮＦＣ  Ｉ／Ｆ部１１にかざされたか否かをモバイル端末検知部１２により検知し、管理者モバイル端末２０がＮＦＣ  Ｉ／Ｆ部１１にかざされると、ステップＳＰ３へ移る。ステップＳＰ３において画像形成装置制御部１３は、デバイスＩＤを装置識別情報管理部１４から読み出してＮＦＣ  Ｉ／Ｆ部１１により管理者モバイル端末２０へ送信する。
【００４４】
ステップＳＰ４において管理者モバイル端末２０のモバイル端末制御部２３は、デバイスＩＤをＮＦＣ  Ｉ／Ｆ部２１により画像形成装置１０から受信すると、使用者情報記憶部２７から使用者情報を読み出して無線ＬＡＮ  Ｉ／Ｆ部２２により社内サーバ４０へ送信する。
【００４５】
ステップＳＰ５において社内サーバ４０の社内サーバ制御部４２は、使用者情報をＬＡＮ  Ｉ／Ｆ部４１により管理者モバイル端末２０から受信すると、該使用者情報に基づき、使用者ランクテーブルＴＢｕ（図９）を作成し、ステップＳＰ６へ移る。ステップＳＰ６において社内サーバ制御部４２は、使用者ランクテーブルＴＢｕを作成したことを通知する使用者ランクテーブル作成通知をＬＡＮ  Ｉ／Ｆ部４１により管理者モバイル端末２０へ送信する。
【００４６】
ステップＳＰ７において管理者モバイル端末２０のモバイル端末制御部２３は、使用者ランクテーブル作成通知を無線ＬＡＮ  Ｉ／Ｆ部２２により社内サーバ４０から受信すると、画像形成装置１０から受信したデバイスＩＤを無線ＬＡＮ  Ｉ／Ｆ部２２によりＷｅｂサーバ６０へ送信する。
【００４７】
ステップＳＰ８においてＷｅｂサーバ６０のＷｅｂサーバ制御部６３は、デバイスＩＤを無線ＬＡＮ  Ｉ／Ｆ部６２により管理者モバイル端末２０から受信すると、該デバイスＩＤに適したソフトウェアをソフトウェア抽出部６４によりソフトウェアモジュール記憶部６６から抽出し、ステップＳＰ９へ移る。例えばソフトウェア抽出部６４は、画像形成装置１０に関するソフトウェアとして、ドライバ、ファームウェアアップデートツール及び装置管理ソフトウェアを抽出する。ステップＳＰ９においてＷｅｂサーバ制御部６３は、抽出したソフトウェアを無線ＬＡＮ  Ｉ／Ｆ部６２により管理者モバイル端末２０へ送信する。
【００４８】
ステップＳＰ１０において管理者モバイル端末２０のモバイル端末制御部２３は、ソフトウェアを無線ＬＡＮ  Ｉ／Ｆ部２２によりＷｅｂサーバ６０から受信すると、該ソフトウェアをソフトウェアモジュール記憶部２６に格納し、ステップＳＰ１１へ移る。ステップＳＰ１１においてモバイル端末制御部２３は、ソフトウェアモジュール記憶部２６に格納したソフトウェアに基づき図８に示す許可ランク選択画面ＤＩＰ１をアプリケーション制御部２４により作成しタッチパネル部２８に表示させ、管理者により送信ボタンＢＳが押下されるまで待ち受け、ステップＳＰ１２へ移る。
【００４９】
この許可ランク選択画面ＤＩＰ１は、Ｗｅｂサーバ６０から管理者モバイル端末２０にダウンロードされたソフトウェア毎に許可ランクを管理者に選択させるものであり、ソフトウェア種類部ＴＰ、ランク選択部ＳＲ及び送信ボタンＢＳが表示されている。ソフトウェア種類部ＴＰは、Ｗｅｂサーバ６０から管理者モバイル端末２０にダウンロードされたソフトウェアの種類を表示している。ランク選択部ＳＲは、ソフトウェア種類部ＴＰにおけるソフトウェア毎に、クライアントＰＣ５０への画像形成装置１０のソフトウェアのインストールを許可する使用者ランクである許可ランクを管理者に選択させる、例えばコンボボックスを表示する。
【００５０】
ここで、ソフトウェア種類部ＴＰが「ドライバ」の場合においてランク選択部ＳＲで「全員」が選択されている状態は、社内２のどの使用者ランクの使用者（すなわち管理者、ＴＬ及び一般ユーザ）に対しても、その使用者が使用するクライアントＰＣ５０への画像形成装置１０のドライバのインストールを許可することを表している。また、ソフトウェア種類部ＴＰが「ファームウェアアップデートツール」の場合においてランク選択部ＳＲで「ＴＬ以上」が選択されている状態は、社内２における一般ユーザを除くＴＬ及び管理者に対し、その使用者が使用するクライアントＰＣ５０への画像形成装置１０のファームウェアアップデートツールのインストールを許可することを表している。さらに、ソフトウェア種類部ＴＰが「装置管理ソフトウェア」の場合においてランク選択部ＳＲで「管理者」が選択されている状態は、社内２における管理者のみに対し、クライアントＰＣ５０への画像形成装置１０の装置管理ソフトウェアのインストールを許可することを表している。
【００５１】
管理者は、ソフトウェア種類部ＴＰに表示されたソフトウェア毎に、ランク選択部ＳＲにおいて許可ランクを選択し、送信ボタンＢＳを押下する。管理者により送信ボタンＢＳが押下されると、ステップＳＰ１２においてモバイル端末制御部２３は、ソフトウェアモジュール記憶部２６に格納したソフトウェアと、ステップＳＰ１１において設定された許可ランクを示す許可ランク情報とを、アプリケーション制御部２４により、無線ＬＡＮ  Ｉ／Ｆ部２２を介し社内サーバ４０へ送信する。
【００５２】
ステップＳＰ１３において社内サーバ４０の社内サーバ制御部４２は、ソフトウェア及び許可ランク情報をＬＡＮ  Ｉ／Ｆ部４１により管理者モバイル端末２０から受信すると、該ソフトウェアをソフトウェアモジュール記憶部４５に格納し、ステップＳＰ１４へ移る。これにより、管理者モバイル端末２０のソフトウェアモジュール記憶部２６に格納されたソフトウェアは社内サーバ４０のソフトウェアモジュール記憶部４５にも格納されることとなる。ステップＳＰ１４において社内サーバ制御部４２は、受信したソフトウェア及び許可ランク情報に基づき、図１１に示す保存先テーブルＴＢｓを作成して図示しない保存先テーブル記憶部に記憶し、ステップＳＰ１５へ移る。
【００５３】
保存先テーブルＴＢｓは、ソフトウェアの種類を示すソフトウェア種類列ＳＷと、許可ランク選択画面ＤＩＰ１（図８）において選択された許可ランクを示す許可ランク列ＲＫａと、ソフトウェアモジュール記憶部４５におけるソフトウェアの格納先のアドレスを示すＵＲＬ列ＡＤとを有しており、ソフトウェアの種類毎に、許可ランクとＵＲＬとを対応付けて記憶している。
【００５４】
具体的に、ドライバは、使用者ランクＣの許可ランクが設定された使用者がインストール可能であり、「http://serverA/Admin/MC573/rankA」のアドレスにより示される保存先と、「http://serverA/Admin/MC573/rankB」のアドレスにより示される保存先と、「http://serverA/Admin/MC573/rankC」のアドレスにより示される保存先とに保存されている。またファームウェアアップデートツールは、使用者ランクＢの許可ランクが設定された使用者がインストール可能であり、「http://serverA/Admin/MC573/rankA」のアドレスにより示される保存先と、「http://serverA/Admin/MC573/rankB」のアドレスにより示される保存先とに保存されている。さらにファームウェアアップデートツールは、使用者ランクＡの許可ランクが設定された使用者がインストール可能であり、「http://serverA/Admin/MC573/rankA」のアドレスにより示される保存先に保存されている。このように保存先テーブルＴＢｓは、ソフトウェアの種類毎に、該ソフトウェアに設定された許可ランクを有する使用者がインストール可能なソフトウェアの格納先をまとめている。
【００５５】
ステップＳＰ１５において社内サーバ制御部４２は、保存先テーブルＴＢｓ（図１１）におけるソフトウェアの種類、許可ランク及びＵＲＬに基づき、図１２に示すメタファイルをＵＲＬ情報作成部４４により作成してメタファイル記憶部４８に記憶する。メタファイルＭＴは、図１２に示すように、使用者ランクを示す使用者ランク列ＲＫと、ソフトウェアモジュール記憶部４５におけるソフトウェアの格納先のアドレスを示すＵＲＬ列ＡＤと、ソフトウェアの種類を示すソフトウェア種類列ＳＷとを有しており、使用者ランク毎に、ＵＲＬとソフトウェアの種類とを対応付けて記憶している。
【００５６】
具体的に、使用者ランクＡの使用者は、「http://serverA/Admin/MC573/rankA」のアドレスにより示される保存先に格納されたソフトウェアである、ドライバ、ファームウェアアップデートツール及び装置管理ソフトウェアがインストール可能である。また使用者ランクＢの使用者は、「http://serverA/Admin/MC573/rankB」のアドレスにより示される保存先に格納されたソフトウェアである、ドライバ及びファームウェアアップデートツールがインストール可能である。また使用者ランクＣの使用者は、「http://serverA/Admin/MC573/rankC」のアドレスにより示される保存先に格納されたソフトウェアである、ドライバがインストール可能である。このようにメタファイルＭＴは、使用者ランク毎に、該使用者ランクの使用者がインストール可能なソフトウェアの格納先のＵＲＬを示している。
【００５７】
［１−９．クライアントＰＣインストール処理手順］
画像形成システム１によるクライアントＰＣインストール処理手順ＲＴ２について、図１５のシーケンスチャートを用いて説明する。このクライアントＰＣインストール処理手順ＲＴ２は、社内サーバ登録処理手順ＲＴ１が実行された後に使用者の操作に基づき実行され、社内サーバ４０に登録されたソフトウェアをクライアントＰＣ５０にインストールする処理である。ステップＳＰ２１においてユーザモバイル端末３０のモバイル端末制御部３３は、タッチパネル部３７に対するユーザの操作に基づき、アプリケーション３５を起動する。アプリケーション３５は、ユーザモバイル端末３０を画像形成装置１０にかざすようユーザに促す画面をタッチパネル部３７に表示する。ユーザは、把持したユーザモバイル端末３０を画像形成装置１０のＮＦＣ  Ｉ／Ｆ部１１にかざす。
【００５８】
ステップＳＰ２２において画像形成装置１０の画像形成装置制御部１３は、ユーザモバイル端末３０がＮＦＣ  Ｉ／Ｆ部１１にかざされたか否かをモバイル端末検知部１２により検知し、ユーザモバイル端末３０がＮＦＣ  Ｉ／Ｆ部１１にかざされると、ステップＳＰ２３へ移る。ステップＳＰ２３において画像形成装置制御部１３は、デバイスＩＤを装置識別情報管理部１４から読み出してＮＦＣ  Ｉ／Ｆ部１１によりユーザモバイル端末３０へ送信する。
【００５９】
ステップＳＰ２４においてユーザモバイル端末３０のモバイル端末制御部３３は、デバイスＩＤをＮＦＣ  Ｉ／Ｆ部３１により画像形成装置１０から受信すると、使用者情報記憶部３６から使用者名を読み出してデバイスＩＤと共に無線ＬＡＮ  Ｉ／Ｆ部３２により社内サーバ４０へ送信する。
【００６０】
ステップＳＰ２５において社内サーバ４０の社内サーバ制御部４２は、デバイスＩＤ及び使用者名をＬＡＮ  Ｉ／Ｆ部４１によりユーザモバイル端末３０から受信すると、該使用者名と、使用者ランクテーブルＴＢｕにおける使用者名の使用者ランクと、メタファイルＭＴとに基づき、ソフトウェアをクライアントＰＣ５０へダウンロードさせるダウンロードページをＷｅｂページ作成部４３により作成し、ステップＳＰ２６へ移る。ステップＳＰ２６において社内サーバ制御部４２は、ダウンロードページのＵＲＬを示すページ情報をＬＡＮ  Ｉ／Ｆ部４１によりユーザモバイル端末３０へ送信する。
【００６１】
ステップＳＰ２７においてユーザモバイル端末３０のモバイル端末制御部３３は、ページ情報を無線ＬＡＮ  Ｉ／Ｆ部３２により社内サーバ４０から受信すると、ユーザモバイル端末３０をクライアントＰＣ５０にかざすようユーザに促す画面をアプリケーション３５によりタッチパネル部３７に表示する。ユーザは、把持したユーザモバイル端末３０をクライアントＰＣ５０のＮＦＣ  Ｉ／Ｆ部５１にかざす。
【００６２】
ステップＳＰ２８においてクライアントＰＣ５０のクライアントＰＣ制御部５３は、ユーザモバイル端末３０がＮＦＣ  Ｉ／Ｆ部５１にかざされたか否かをモバイル端末検知部５２により検知し、ユーザモバイル端末３０がＮＦＣ  Ｉ／Ｆ部５１にかざされると、ステップＳＰ３０へ移る。
【００６３】
ステップＳＰ２９においてユーザモバイル端末３０のモバイル端末制御部３３は、アプリケーション３５によりページ情報をＮＦＣ  Ｉ／Ｆ部３１を介しクライアントＰＣ５０へ送信する。
【００６４】
ステップＳＰ３０においてクライアントＰＣ５０のクライアントＰＣ制御部５３は、ブラウザ起動アプリケーション実行部５４により、ブラウザを起動しダウンロードページを表示し、ステップＳＰ３１へ移る。ステップＳＰ３１においてクライアントＰＣ制御部５３は、ブラウザを起動したことを通知するインストール開始通知をＬＡＮ  Ｉ／Ｆ部５６により社内サーバ４０へ送信する。
【００６５】
ステップＳＰ３２において社内サーバ４０の社内サーバ制御部４２は、インストール開始通知をＬＡＮ  Ｉ／Ｆ部４１によりクライアントＰＣ５０から受信すると、ソフトウェアモジュール記憶部４５からソフトウェアを読み出して無線ＬＡＮ  Ｉ／Ｆ部４１によりクライアントＰＣ５０へ送信する。このときクライアントＰＣ５０のクライアントＰＣ制御部５３は、図１３に示すソフトウェアインストール画面ＤＩＰ２を図示しない表示部に表示させる。ソフトウェアインストール画面ＤＩＰ２は、ソフトウェアの種類毎に、インストールの進捗状況を表示する。またクライアントＰＣ５０は、ソフトウェアをブラウザ起動アプリケーション実行部５４により社内サーバ４０から受信しプログラム格納部５５へ格納することによりインストールする。
【００６６】
これにより社内サーバ４０は、ソフトウェアモジュール記憶部４５に格納されたソフトウェアを、クライアントＰＣ５０にインストールすることができる。
【００６７】
［１−１０．効果等］
以上の構成において画像形成システム１は、クライアントＰＣ５０にインストールされる、画像形成装置１０に適切なソフトウェアを管理者モバイル端末２０がＷｅｂサーバ６０からダウンロードして社内サーバ４０にアップロードすると共に、社内サーバ４０は、ソフトウェアをクライアントＰＣ５０にインストールする権限についての許可ランクを、管理者モバイル端末２０から受信したソフトウェアと対応付けて記憶するようにした。これにより画像形成システム１は、使用者に対し、自身の使用者ランクと、画像形成装置１０に対して適切なソフトウェアであるかとを意識させることなく、画像形成装置１０に適切なソフトウェアを使用者ランクに応じてクライアントＰＣ５０にインストールできる。
【００６８】
また画像形成システム１は、許可ランク選択画面ＤＩＰ１を管理者モバイル端末２０に表示させ、ソフトウェアの種類毎に、許可ランクを管理者に選択させるようにした。これにより画像形成システム１は、管理者に対し、使用者の権限によるソフトウェアのインストール管理を行うことができる。
【００６９】
さらに画像形成システム１は、アプリケーション３５がユーザにより起動されると、ユーザモバイル端末３０を画像形成装置１０にかざさすようにユーザに指示し、その後、ページ情報をユーザモバイル端末３０が社内サーバ４０から受信すると、ユーザモバイル端末３０をクライアントＰＣ５０にかざさすようにユーザに指示するようにした。これにより画像形成システム１は、ユーザに対し、ユーザモバイル端末３０を画像形成装置１０にかざさせた後にクライアントＰＣ５０にかざさせるだけで、画像形成装置１０に関するソフトウェアの格納場所を意識させることなく、画像形成装置１０に適したソフトウェアをクライアントＰＣ５０にインストールできる。
【００７０】
さらに画像形成システム１は、管理者モバイル端末２０がＷｅｂサーバ６０からダウンロードし社内サーバ４０にアップロードしたソフトウェアを、クライアントＰＣ５０がダウンロードしてインストールするようにした。これにより画像形成システム１は、クライアントＰＣ５０が社外４のＷｅｂサーバ６０に公衆無線回線で接続されていないオフライン状態であっても、クライアントＰＣ５０にソフトウェアをインストールできる。
【００７１】
以上の構成によれば画像形成システム１は、管理者により操作される管理者モバイル端末２０と、管理者モバイル端末２０とデータ通信を行う社内サーバ４０とを設け、管理者モバイル端末２０は、クライアント端末としてのクライアントＰＣ５０にインストールされる、画像形成装置１０に関するソフトウェアを外部サーバとしてのＷｅｂサーバ６０から受信するソフトウェア受信機能と、ソフトウェアを内部サーバとしての社内サーバ４０へ送信するソフトウェア送信機能とを具えるソフトウェアダウンロードアプリケーション２５を有し、社内サーバ４０は、ソフトウェアを管理者モバイル端末２０から受信し、ソフトウェアの種類毎に設定された、ソフトウェアをクライアントＰＣ５０にインストールする権限についての許可ランクを、ソフトウェアと対応付けて記憶するソフトウェアモジュール記憶部４５を有するようにした。
【００７２】
これにより画像形成システム１は、ソフトウェアに対応付けられた使用者の許可ランクに応じたソフトウェアを、使用者に自身の許可ランクを意識させることなく社内サーバ４０からクライアントＰＣ５０にダウンロードさせることができる。
【００７３】
［２．第２の実施の形態］
［２−１．画像形成システムの全体構成］
図１と対応する部材に同一符号を付した図１６に示すように、第２の実施の形態による画像形成システム１０１は、第１の実施の形態による画像形成システム１と比較して、ユーザモバイル端末３０が省略されていると共に、それぞれ管理者モバイル端末２０に代えて管理者ＰＣ７０が、クライアントＰＣ５０に代えてクライアントＰＣ１５０が設けられている点が異なっているものの、それ以外は同様に構成されている。画像形成システム１においては、管理者モバイル端末２０及びユーザモバイル端末３０は画像形成装置１０とＮＦＣにより無線通信を行っていたが、画像形成システム１０１においては、管理者ＰＣ７０及びクライアントＰＣ１５０は画像形成装置１０と社内無線ＬＡＮや社内有線ＬＡＮ等の社内ＬＡＮ回線により通信を行う。
【００７４】
管理者ＰＣ７０は、社内２に設けられており、ＰＣにより構成され、それぞれＷｉ−Ｆｉ等の無線ＬＡＮの社内無線ＬＡＮ回線を介して社内サーバ４０と、社内ＬＡＮ回線を介して画像形成装置１０と、Ｗｉ−ＦｉやＬＴＥ等の公衆無線回線を介してＷｅｂサーバ６０と通信を行う。
【００７５】
クライアントＰＣ１５０は、社内２に設けられており、ＰＣにより構成され、使用者が使用する画像形成装置１０に関するソフトウェアがインストールされる。またクライアントＰＣ１５０は、それぞれ社内無線ＬＡＮ回線を介して画像形成装置１０と、社内ＬＡＮ回線を介して社内サーバ４０と通信を行う。またこのクライアントＰＣ１５０は、社外４には接続されていない。
【００７６】
［２−２．管理者ＰＣの構成］
図１７に示すように管理者ＰＣ７０は、管理者ＰＣ制御部７３が各部（ＬＡＮ  Ｉ／Ｆ部７１、無線ＬＡＮ  Ｉ／Ｆ部７２、アプリケーション制御部７４、ソフトウェアダウンロードアプリケーション７５、ソフトウェアモジュール記憶部７６、使用者情報記憶部７７及び表示部７８）の中間に位置し、データの入出力をする場合に仲立ちする機能を有し、管理者ＰＣ７０を統轄制御する。管理者ＰＣ制御部７３は、図示しないＣＰＵを中心に構成されており、ＲＯＭ、ＲＡＭ、ハードディスクドライブやフラッシュメモリ等でなる記憶部（図示せず）から所定のプログラムを読み出して実行することにより、各部を制御して種々の処理を行う。
【００７７】
ＬＡＮ  Ｉ／Ｆ部７１は、社内ＬＡＮ回線と接続されたインターフェイスであり、画像形成装置１０と通信を行う。無線ＬＡＮ  Ｉ／Ｆ部７２は、Ｗｉ−Ｆｉ方式の無線通信を実行するインターフェイスであり、社内サーバ４０及びＷｅｂサーバ６０と無線通信を行う。ソフトウェアモジュール記憶部７６は、Ｗｅｂサーバ６０からダウンロードされたソフトウェアを格納する。使用者情報記憶部７７は、使用者情報記憶部２７と同様に社内２の使用者情報を保持している。表示部７８は、必要な情報を表示するディスプレイである。
【００７８】
アプリケーション制御部７４は、ソフトウェアダウンロードアプリケーション７５とソフトウェアモジュール記憶部７６との中間に位置し、データの入出力をする場合に仲立ちする機能を有し、管理者ＰＣ７０内のアプリケーション全体を制御する。
【００７９】
ソフトウェアダウンロードアプリケーション７５は、管理者ＰＣ７０上で起動するアプリケーションであり、ソフトウェアダウンロードアプリケーション２５とほぼ同様の機能を有している。具体的にソフトウェアダウンロードアプリケーション７５は、画像形成装置１０からデバイスＩＤを取得するデバイスＩＤ管理者受信機能と、使用者情報記憶部７７から使用者情報を読み出して社内サーバ４０へ送信する使用者情報送信機能と、画像形成装置１０から取得したデバイスＩＤを社内サーバ４０へ送信するデバイスＩＤ送信機能と、Ｗｅｂサーバ６０から管理者ＰＣ７０にソフトウェアをダウンロードするソフトウェア受信機能と、Ｗｅｂサーバ６０から管理者ＰＣ７０にダウンロードされたソフトウェアの種類を表示するダウンロード済ソフトウェア提示機能と、図８に示した許可ランク選択画面ＤＩＰ１を表示部７８に表示させることにより、許可ランクをソフトウェア毎に管理者に選択させる許可ランク設定機能と、Ｗｅｂサーバ６０から管理者ＰＣ７０にダウンロードされたソフトウェアと管理者に選択された許可ランクとを社内サーバ４０へ送信するソフトウェア許可ランク送信機能とを有している。
【００８０】
［２−３．クライアントＰＣの構成］
図５と対応する部材に同一符号を付した図１８に示すように、クライアントＰＣ１５０は、クライアントＰＣ５０と比較して、ＮＦＣ  Ｉ／Ｆ部５１及びモバイル端末検知部５２が省略されていると共に、使用者情報記憶部５７、アプリケーション制御部５８及びアプリケーション５９が追加されている点が異なっているものの、それ以外は同様に構成されている。
【００８１】
使用者情報記憶部５７は、該使用者情報記憶部５７を有するクライアントＰＣ１５０を使用する使用者の使用者名と、該使用者の使用者ランクとを対応付けて保持している。アプリケーション制御部５８は、アプリケーション５９とプログラム格納部５５との中間に位置し、データの入出力をする場合に仲立ちする機能を有し、クライアントＰＣ１５０内のアプリケーション全体を制御する。
【００８２】
アプリケーション５９は、クライアントＰＣ１５０上で起動するアプリケーションであり、画像形成装置１０からデバイスＩＤを取得するデバイスＩＤユーザ受信機能と、使用者情報記憶部５７から使用者名を読み出し、画像形成装置１０から取得したデバイスＩＤと共に社内サーバ４０へ送信する装置識別情報ユーザ名送信機能としてのデバイスＩＤユーザ名送信機能とを有している。
【００８３】
［２−４．社内サーバ登録処理手順］
画像形成システム１０１による社内サーバ登録処理手順ＲＴ１１について、図１９のシーケンスチャートを用いて説明する。この社内サーバ登録処理手順ＲＴ１１は、例えば画像形成装置１０が社内２に設置された後に、後述するクライアントＰＣインストール処理手順ＲＴ１２に先立ち管理者の操作に基づき実行され、社内サーバ４０へ画像形成装置１０に関連するソフトウェアを登録する処理である。ステップＳＰ４１において管理者ＰＣ７０の管理者ＰＣ制御部７３は、図示しないキーボード等の操作部に対する管理者の操作に基づき、ソフトウェアダウンロードアプリケーション７５を起動する。ソフトウェアダウンロードアプリケーション７５は、社内ＬＡＮ回線内の画像形成装置１０の検索を実施し、画像形成装置１０に接続する。
【００８４】
ステップＳＰ４２において画像形成装置１０の画像形成装置制御部１３は、デバイスＩＤを装置識別情報管理部１４から読み出して図示しないＬＡＮ  Ｉ／Ｆ部により管理者ＰＣ７０へ送信する。
【００８５】
ステップＳＰ４３において管理者ＰＣ７０の管理者ＰＣ制御部７３は、デバイスＩＤをＬＡＮ  Ｉ／Ｆ部７１により画像形成装置１０から受信すると、画像形成装置１０から受信したデバイスＩＤを無線ＬＡＮ  Ｉ／Ｆ部７２によりＷｅｂサーバ６０へ送信する。
【００８６】
ステップＳＰ４４においてＷｅｂサーバ６０のＷｅｂサーバ制御部６３は、デバイスＩＤを無線ＬＡＮ  Ｉ／Ｆ部６２により管理者ＰＣ７０から受信すると、該デバイスＩＤに適したソフトウェアをソフトウェア抽出部６４によりソフトウェアモジュール記憶部６６から抽出し、ステップＳＰ４５へ移る。ステップＳＰ４５においてＷｅｂサーバ制御部６３は、抽出したソフトウェアを無線ＬＡＮ  Ｉ／Ｆ部６２により管理者ＰＣ７０へ送信する。
【００８７】
ステップＳＰ４６において管理者ＰＣ７０の管理者ＰＣ制御部７３は、ソフトウェアを無線ＬＡＮ  Ｉ／Ｆ部７２によりＷｅｂサーバ６０から受信すると、該ソフトウェアをソフトウェアモジュール記憶部７６に格納し、ステップＳＰ４７へ移る。ステップＳＰ４７において管理者ＰＣ制御部７３は、管理者ＰＣ７０にソフトウェアをインストールし、ステップＳＰ４８へ移る。ステップＳＰ４８において管理者ＰＣ制御部７３は、管理者ＰＣ７０にインストールしたソフトウェアを社内サーバ４０に登録するか否かを選択させる画面を表示部７８に表示させ、管理者により選択されるまで待ち受ける。ここで肯定結果が得られると、このとき管理者ＰＣ制御部７３は、ステップＳＰ４９へ移る。一方ステップＳＰ４８において否定結果が得られると、このとき管理者ＰＣ制御部７３は、ステップＳＰ４９、ＳＰ５２及びＳＰ５３をスキップする。ステップＳＰ４９において管理者ＰＣ制御部７３は、使用者情報記憶部７７から使用者情報を読み出して無線ＬＡＮ  Ｉ／Ｆ部７２により社内サーバ４０へ送信する。
【００８８】
ステップＳＰ５０において社内サーバ４０の社内サーバ制御部４２は、使用者情報をＬＡＮ  Ｉ／Ｆ部４１により管理者ＰＣ７０から受信すると、該使用者情報に基づき、使用者ランクテーブルＴＢｕ（図９）を作成し、ステップＳＰ５１へ移る。ステップＳＰ５１において社内サーバ制御部４２は、使用者ランクテーブル作成通知をＬＡＮ  Ｉ／Ｆ部４１により管理者ＰＣ７０へ送信する。
【００８９】
ステップＳＰ５２において管理者ＰＣ７０の管理者ＰＣ制御部７３は、使用者ランクテーブル作成通知を無線ＬＡＮ  Ｉ／Ｆ部７２により社内サーバ４０から受信すると、ソフトウェアモジュール記憶部７６に格納したソフトウェアに基づき図８に示した許可ランク選択画面ＤＩＰ１をアプリケーション制御部７４により作成し表示部７８に表示させ、管理者により送信ボタンＢＳが選択されるまで待ち受ける。管理者により送信ボタンＢＳが選択されると、ステップＳＰ５３において管理者ＰＣ制御部７３は、ソフトウェアモジュール記憶部７６に格納し管理者ＰＣ７０にインストールしたソフトウェアと、ステップＳＰ５２において設定された許可ランクを示す許可ランク情報とを、アプリケーション制御部７４により、無線ＬＡＮ  Ｉ／Ｆ部７２を介し社内サーバ４０へ送信する。
【００９０】
ステップＳＰ５４において社内サーバ４０の社内サーバ制御部４２は、ソフトウェア及び許可ランク情報をＬＡＮ  Ｉ／Ｆ部４１により管理者ＰＣ７０から受信すると、該ソフトウェアをソフトウェアモジュール記憶部４５に格納し、ステップＳＰ５５へ移る。これにより、管理者ＰＣ７０のソフトウェアモジュール記憶部７６に格納され管理者ＰＣ７０にインストールされたソフトウェアは社内サーバ４０のソフトウェアモジュール記憶部４５にも格納されることとなる。ステップＳＰ５５において社内サーバ制御部４２は、受信したソフトウェア及び許可ランク情報に基づき、図１１に示した保存先テーブルＴＢｓを作成して図示しない保存先テーブル記憶部に記憶し、ステップＳＰ５６へ移る。ステップＳＰ５６において社内サーバ制御部４２は、保存先テーブルＴＢｓ（図１１）におけるソフトウェア、許可ランク及びＵＲＬに基づき、図１２に示したメタファイルをＵＲＬ情報作成部４４により作成してメタファイル記憶部４８に記憶する。
【００９１】
［２−５．クライアントＰＣインストール処理手順］
画像形成システム１０１によるクライアントＰＣインストール処理手順ＲＴ１２について、図２０のシーケンスチャートを用いて説明する。このクライアントＰＣインストール処理手順ＲＴ１２は、社内サーバ登録処理手順ＲＴ１１が実行された後に使用者の操作に基づき実行され、社内サーバ４０に登録されたソフトウェアをクライアントＰＣ１５０にインストールする処理である。ステップＳＰ６１においてクライアントＰＣ１５０のクライアントＰＣ制御部５３は、所定の操作部に対するユーザの操作に基づき、アプリケーション５９を起動する。アプリケーション５９は、社内ＬＡＮ回線内の画像形成装置１０の検索を実施し、画像形成装置１０に接続する。
【００９２】
ステップＳＰ６２において画像形成装置１０の画像形成装置制御部１３は、デバイスＩＤを装置識別情報管理部１４から読み出して図示しないＬＡＮ  Ｉ／Ｆ部によりクライアントＰＣ１５０へ送信する。
【００９３】
ステップＳＰ６３においてクライアントＰＣ１５０のクライアントＰＣ制御部５３は、デバイスＩＤをＬＡＮ  Ｉ／Ｆ部５６により画像形成装置１０から受信すると、使用者情報記憶部５７から使用者名を読み出して、該デバイスＩＤと共にＬＡＮ  Ｉ／Ｆ部５６により社内サーバ４０へ送信する。
【００９４】
ステップＳＰ６４において社内サーバ４０の社内サーバ制御部４２は、デバイスＩＤ及び使用者名をＬＡＮ  Ｉ／Ｆ部４１によりクライアントＰＣ１５０から受信すると、該使用者名と、使用者ランクテーブルＴＢｕの使用者名の使用者ランクとメタファイルＭＴとに基づき、ダウンロードページをＷｅｂページ作成部４３により作成し、ステップＳＰ６５へ移る。ステップＳＰ６５において社内サーバ制御部４２は、ダウンロードページのＵＲＬを示すページ情報をＬＡＮ  Ｉ／Ｆ部４１によりクライアントＰＣ１５０へ送信する。
【００９５】
ステップＳＰ６６においてクライアントＰＣ１５０のクライアントＰＣ制御部５３は、ブラウザ起動アプリケーション実行部５４により、ブラウザを起動しダウンロードページを表示し、ステップＳＰ６７へ移る。ステップＳＰ６７においてクライアントＰＣ制御部５３は、インストール開始通知をＬＡＮ  Ｉ／Ｆ部５６により社内サーバ４０へ送信する。
【００９６】
ステップＳＰ６８において社内サーバ４０の社内サーバ制御部４２は、インストール開始通知をＬＡＮ  Ｉ／Ｆ部４１によりクライアントＰＣ１５０から受信すると、ソフトウェアモジュール記憶部４５からソフトウェアを読み出して無線ＬＡＮ  Ｉ／Ｆ部４１によりクライアントＰＣ１５０へ送信する。このときクライアントＰＣ１５０のクライアントＰＣ制御部５３は、図１３に示したソフトウェアインストール画面ＤＩＰ２を図示しない表示部に表示させる。またクライアントＰＣ１５０は、ソフトウェアをブラウザ起動アプリケーション実行部５４により社内サーバ４０から受信しプログラム格納部５５へ格納することによりインストールする。
【００９７】
これにより社内サーバ４０は、ソフトウェアモジュール記憶部４５に格納されたソフトウェアを、クライアントＰＣ１５０にインストールすることができる。
【００９８】
［２−６．効果等］
以上の構成において画像形成システム１０１は、クライアントＰＣ１５０にインストールされる、画像形成装置１０に適切なソフトウェアを管理者ＰＣ７０がＷｅｂサーバ６０からダウンロードして社内サーバ４０にアップロードすると共に、社内サーバ４０は、ソフトウェアをクライアントＰＣ１５０にインストールする権限についての許可ランクを、管理者ＰＣ７０から受信したソフトウェアと対応付けて記憶するようにした。これにより画像形成システム１０１は、使用者に対し、自身の使用者ランクと、画像形成装置１０に対して適切なソフトウェアであるかとを意識させることなく、画像形成装置１０に適切なソフトウェアを使用者ランクに応じてクライアントＰＣ１５０にインストールできる。
【００９９】
また画像形成システム１０１は、管理者ＰＣ７０においてソフトウェアダウンロードアプリケーション７５が起動されると、社内ＬＡＮ回線内の画像形成装置１０の検索を実施して画像形成装置１０に接続し、クライアントＰＣ１５０においてアプリケーション５９が起動されると、社内ＬＡＮ回線内の画像形成装置１０の検索を実施して画像形成装置１０に接続するようにした。これにより画像形成システム１０１は、管理者ＰＣ７０、クライアントＰＣ１５０及び画像形成装置１０の何れかがＮＦＣ  Ｉ／Ｆ部を有していない場合であっても、管理者ＰＣ７０にＷｅｂサーバ６０からソフトウェアをダウンロードさせて社内サーバ４０にアップロードさせることができると共に、社内サーバ４０からクライアントＰＣ１５０にソフトウェアをダウンロードさせることができる。
【０１００】
また画像形成システム１０１は、社内サーバ登録処理手順ＲＴ１１（図１９）におけるステップＳＰ４８において、管理者ＰＣ７０にインストールしたソフトウェアを社内サーバ４０に登録するか否かを管理者に選択させるようにした。これにより画像形成システム１０１は、管理者ＰＣ７０にインストールしたソフトウェアを社内サーバ４０に登録するか否かを示す管理者の意思を反映させることができる。
【０１０１】
その他第２の実施の形態による画像形成システム１０１は、第１の実施の形態による画像形成システム１とほぼ同様の作用効果を奏する。
【０１０２】
［３．他の実施の形態］
なお上述した第１の実施の形態においては、ステップＳＰ１１において許可ランク選択画面ＤＩＰ１を表示し、ソフトウェア毎の許可ランクを管理者に選択させる場合について述べた。本発明はこれに限らず、ソフトウェア毎の許可ランクを予め決定しておいても良い。第２の実施の形態においても同様である。
【０１０３】
また上述した第１の実施の形態においては、ステップＳＰ５において、社内サーバ４０が、使用者情報を管理者モバイル端末２０から受信すると、該使用者情報に基づき、使用者ランクテーブルＴＢｕを作成する場合について述べた。本発明はこれに限らず、社内サーバ４０が、予め使用者ランクテーブルＴＢｕを作成して保持しておいても良い。または、管理者モバイル端末２０が使用者ランクテーブルＴＢｕを作成し、ステップＳＰ１２において社内サーバ４０へ送信しても良い。第２の実施の形態においても同様である。
【０１０４】
さらに上述した第１の実施の形態においては、ステップＳＰ２５において使用者名をユーザモバイル端末３０から受信する度にダウンロードページを作成する場合について述べた。本発明はこれに限らず、ステップＳＰ１５においてメタファイルを作成した後に、ダウンロードページを予め作成しても良い。その場合、使用者名をユーザモバイル端末３０から受信する度にダウンロードページを作成する場合よりもダウンロードページを作成する処理を省略できる。第２の実施の形態においても同様である。
【０１０５】
さらに上述した第１の実施の形態においては、ステップＳＰ３０においてブラウザを起動してダウンロードページを表示し、自動的にソフトウェアを社内サーバ４０からクライアントＰＣ５０へインストールする場合について述べた。本発明はこれに限らず、クライアントＰＣ５０においてブラウザを起動しダウンロードページを表示し、インストールするソフトウェアを該ダウンロードページにおいて使用者に対し選択させても良い。第２の実施の形態においても同様である。
【０１０６】
さらに上述した第２の実施の形態においては、管理者ＰＣ７０にインストールしたソフトウェアを社内サーバ４０に登録するか否かをステップＳＰ４８において管理者に選択させる場合について述べた。本発明はこれに限らず、管理者ＰＣ７０にインストールしたソフトウェアを社内サーバ４０に必ず登録しても良い。
【０１０７】
さらに上述した第２の実施の形態においては、ステップＳＰ５４においてソフトウェアを社内サーバ４０に格納する前に、ステップＳＰ４８においてソフトウェアを社内サーバ４０に登録するか否かを管理者に選択させる場合について述べた。本発明はこれに限らず、ソフトウェアを社内サーバ４０に格納した後に、ソフトウェアを社内サーバ４０に登録するか否かを管理者に選択させても良い。
【０１０８】
さらに上述した実施の形態においては、ソフトウェアダウンロードアプリケーション２５及び７５とアプリケーション３５及び５８とを、専用のアプリケーションとする場合について述べた。本発明はこれに限らず、例えば印刷アプリケーション等、他の種々のアプリケーションの一部の機能としても良い。
【０１０９】
さらに上述した第１の実施の形態においては、モバイル端末と画像形成装置１０及びクライアントＰＣ５０とがＮＦＣにより接続される場合について述べた。本発明はこれに限らず、Ｂｌｕｅｔｏｏｔｈ（登録商標）やＺｉｇＢｅｅ等、他の種々の近距離無線通信手段によりモバイル端末と画像形成装置１０及びクライアントＰＣ５０とが接続されても良い。
【０１１０】
さらに上述した実施の形態においては、画像形成装置１０に関するソフトウェアを社内サーバ４０を介しクライアントＰＣ５０又は１５０にインストールする画像形成システム１又は１０１に本発明を適用する場合について述べた。本発明はこれに限らず、例えばコピー機、複合機、ＦＡＸ機等の種々の機器に関するソフトウェアを社内サーバ４０を介しクライアントＰＣ５０又は１５０にインストールする種々のシステムに本発明を適用しても良い。
【０１１１】
さらに上述した実施の形態においては、ソフトウェア受信部としてのソフトウェア受信機能と、ソフトウェア送信部としてのソフトウェア許可ランク送信機能とを具えるソフトウェアダウンロードアプリケーション２５又は７５を有する管理者端末としての管理者モバイル端末２０又は管理者ＰＣ７０と、ソフトウェア記憶部としてのソフトウェアモジュール記憶部４５を有する内部サーバとしての社内サーバ４０と、画像形成装置としての画像形成装置１０とによって、画像形成システムとしての画像形成システム１又は１０１を構成する場合について述べた。本発明はこれに限らず、その他種々の構成でなるソフトウェア受信部と、ソフトウェア送信部とをする管理者端末と、ソフトウェア記憶部を有する内部サーバとによって画像形成システムを構成しても良い。
【産業上の利用可能性】
【０１１２】
本発明は、コピー機、複合機、ＦＡＸ機等の種々の機器に関するソフトウェアを社内サーバを介しクライアントＰＣにインストールする種々のシステムでも利用できる。
【符号の説明】
【０１１３】
１、１０１……画像形成システム、２……社内、４……社外、１０……画像形成装置、１１……ＮＦＣ  Ｉ／Ｆ部、１２……モバイル端末検知部、１３……画像形成装置制御部、１４……装置識別情報管理部、１５……操作パネル、１６……印刷部、２０……管理者モバイル端末、２１……ＮＦＣ  Ｉ／Ｆ部、２２……無線ＬＡＮ  Ｉ／Ｆ部、２３……モバイル端末制御部、２４……アプリケーション制御部、２５……ソフトウェアダウンロードアプリケーション、２６……ソフトウェアモジュール記憶部、２７……使用者情報記憶部、２８……タッチパネル部、３０……ユーザモバイル端末、３１……ＮＦＣ  Ｉ／Ｆ部、３２……無線ＬＡＮ  Ｉ／Ｆ部、３３……モバイル端末制御部、３４……アプリケーション制御部、３５……アプリケーション、３６……使用者情報記憶部、３７……タッチパネル部、４０……社内サーバ、４１……ＬＡＮ  Ｉ／Ｆ部、４２……社内サーバ制御部、４３……Ｗｅｂページ作成部、４４……ＵＲＬ情報作成部、４５……ソフトウェアモジュール記憶部、４６……使用者ランクテーブル記憶部、４８……メタファイル記憶部、５０、１５０……クライアントＰＣ、５１……ＮＦＣ  Ｉ／Ｆ部、５２……モバイル端末検知部、５３……クライアントＰＣ制御部、５４……ブラウザ起動アプリケーション実行部、５５……プログラム格納部、５６……ＬＡＮ  Ｉ／Ｆ部、５７……使用者情報記憶部、５８……アプリケーション制御部、５９……アプリケーション、６０……Ｗｅｂサーバ、６２……無線ＬＡＮ  Ｉ／Ｆ部、６３……Ｗｅｂサーバ制御部、６４……ソフトウェア抽出部、６６……ソフトウェアモジュール記憶部、７０……管理者ＰＣ、７１……ＬＡＮ  Ｉ／Ｆ部、７２……無線ＬＡＮ  Ｉ／Ｆ部、７３……管理者ＰＣ制御部、７４……アプリケーション制御部、７５……ソフトウェアダウンロードアプリケーション、７６……ソフトウェアモジュール記憶部、７７……使用者情報記憶部、７８……表示部、ＴＢｕ……使用者ランクテーブル、ＴＢｓ……保存先テーブル、ＹＭ……使用者名列、ＲＫ……使用者ランク列、ＲＫａ……許可ランク列、ＡＴ……権限列、ＳＷ……ソフトウェア種類列、ＡＤ……ＵＲＬ列、ＤＩＰ１……許可ランク選択画面、ＴＰ……ソフトウェア種類部、ＳＲ……ランク選択部、ＢＳ……送信ボタン、ＤＩＰ２……ソフトウェアインストール画面、ＭＴ…メタファイル。
【図１】
2018181109.tif 000003
【図２】
2018181109.tif 000004
【図３】
2018181109.tif 000005
【図４】
2018181109.tif 000006
【図５】
2018181109.tif 000007
【図６】
2018181109.tif 000008
【図７】
2018181109.tif 000009
【図８】
2018181109.tif 000010
【図９】
2018181109.tif 000011
【図１０】
2018181109.tif 000012
【図１１】
2018181109.tif 000013
【図１２】
2018181109.tif 000014
【図１３】
2018181109.tif 000015
【図１４】
2018181109.tif 000016
【図１５】
2018181109.tif 000017
【図１６】
2018181109.tif 000018
【図１７】
2018181109.tif 000019
【図１８】
2018181109.tif 000020
【図１９】
2018181109.tif 000021
【図２０】
2018181109.tif 000022